(57)【特許請求の範囲】
【請求項１】
対向装置から受信したマルチキャリア信号を透過するフィルタと、
前記対向装置から受信したマルチキャリア信号の伝送特性を測定する測定部と、
測定した伝送特性内の割当周波数毎の信号成分情報に基づき、基準値から所定レベル低下した前記信号成分情報に対応する前記割当周波数を決定し、決定した割当周波数が前記フィルタの透過帯域のエッジ周波数になるように、前記マルチキャリア信号からディップを除去する前記フィルタのフィルタ周波数を決定する決定部と、
決定した前記フィルタ周波数を前記フィルタに設定する設定部と
を有することを特徴とする受信装置。
【請求項２】
マルチキャリア信号を生成する生成部と、
生成したマルチキャリア信号を透過するフィルタと、
対向装置で測定した前記マルチキャリア信号の伝送特性内の割当周波数毎の信号成分情報に基づき、基準値から所定レベル低下した前記信号成分情報に対応する前記割当周波数を決定し、決定した割当周波数が前記フィルタの透過帯域のエッジ周波数になるように、前記マルチキャリア信号からディップを除去する前記フィルタのフィルタ周波数を決定する決定部と、
決定した前記フィルタ周波数を前記フィルタに設定する設定部と
を有することを特徴とする送信装置。
【請求項３】
マルチキャリア信号を生成する生成部と、
マルチキャリア信号の伝送距離の増加に応じてディップがなくなる漸近値の周波数に透過帯域のエッジ周波数を設定し、前記生成部で生成した前記マルチキャリア信号を透過するフィルタと、
対向装置で測定した前記マルチキャリア信号の伝送特性内の割当周波数毎の信号成分情報に基づき、前記フィルタで透過後の前記マルチキャリア信号に発生するディップの周波数が前記フィルタの透過帯域のエッジ周波数になるように前記フィルタのフィルタ周波数を決定する決定部と
を有することを特徴とする送信装置。
【請求項４】
対向装置から受信したマルチキャリア信号の伝送特性を測定する測定部と、
マルチキャリア信号の伝送距離の増加に応じてディップがなくなる漸近値の周波数に透過帯域のエッジ周波数を設定し、前記対向装置から受信した前記マルチキャリア信号を透過するフィルタと、
前記対向装置から受信した前記マルチキャリア信号の伝送特性内の割当周波数毎の信号成分情報に基づき、前記フィルタで透過後の前記マルチキャリア信号に発生するディップの周波数が前記フィルタの透過帯域のエッジ周波数になるように前記フィルタのフィルタ周波数を決定する決定部と
を有することを特徴とする受信装置。
【発明の詳細な説明】
【技術分野】
【０００１】
本発明は、受信装置及び送信装置に関する。
【背景技術】
【０００２】
近年、光ネットワークを用いて、大容量のデータを光伝送する伝送方式が望まれている。光ネットワークの伝送方式では、例えば、ＤＭＴ（離散マルチトーン：Discrete  Multi-Tone）変調方式等のマルチキャリア変調方式が知られている。ＤＭＴ変調方式は、ＯＦＤＭ（Orthogonal  Frequency  Division  Multiplexing）技術を基礎にしたマルチキャリア伝送技術の一つである。ＤＭＴ変調方式は、複数の異なる周波数のサブキャリア（ＳＣ:Subcarrier）にデータを割り当て、これらＳＣ毎に割り当てられたデータを多値度及び信号パワーの割当量に基づいて変調し、ＤＭＴ信号としてデータを高速伝送する技術である。
【０００３】
ＤＭＴ変調方式の光伝送装置は、システムの起動時等に、対向側の光伝送装置とプローブ信号でネゴシエーションし、そのネゴシエーション結果に基づき受信特性を取得し、取得した受信特性を伝送特性として設定する。光伝送装置は、設定した伝送特性に応じて、ＳＣ毎の多値度（ビット数）及び信号パワーの割当量を決定する。そして、光伝送装置は、決定したＳＣ毎の多値度及び信号パワーの割当量に基づきＳＣ毎に割り当てられたデータを変調してＤＭＴ信号を生成する。
【０００４】
図１９は、ディップ発生の光ＤＭＴ信号に関わる伝送特性の一例を示す説明図である。図１９に示す伝送特性Ｘ１２は、理想的な伝送特性Ｘ１１に比較し、光伝送装置内のデバイスの周波数特性による帯域制限によって、その割当周波数が高くなるに連れて劣化する。更に、デバイスの周波数特性や、雑音や非線形性の劣化に加えて、光送信器で発生するチャープや光伝送路上の波長分散の相互作用でディップＤが発生するため、その伝送特性Ｘ１３は劣化する。
【０００５】
ディップＤの発生周波数は、光ＤＭＴ信号の変調度、光送信器のチャープ、光ＤＭＴ信号の波長、光伝送路上の波長分散、光伝送路のファイバ長（伝送距離）を（数１）に代入することで算出できる。
【０００６】
【数１】
0006540090.tif 000002
【０００７】
図２０は、伝送距離毎の光ＤＭＴ信号に関わるディップ発生の一例を示す説明図である。光ＤＭＴ信号は、同一の信号であっても、図２０に示すように、シングルモードファイバ（ＳＭＦ；Ｓｉｎｇｌｅ  Ｍｏｄｅ  Ｆｉｂｅｒ）の伝送距離１０ｋｍ、２０ｋｍ、４０ｋｍ、８０ｋｍに応じて異なる周波数にディップが発生し、ディップ発生によって相対強度が著しく低下し、伝送特性が劣化する。その結果、伝送特性の伝送容量や伝送距離が制限されてしまうことになる。
【先行技術文献】
【特許文献】
【０００８】
【特許文献１】特許第４５７５７０３号公報
【特許文献２】特許第５５２３５８２号公報
【発明の概要】
【発明が解決しようとする課題】
【０００９】
図２１は、光ＤＭＴ信号の伝送特性（伝送容量−伝送距離）の一例を示す説明図である。図２１に示す伝送特性Ｘ１４は、光ＤＭＴ信号の伝送特性である。伝送特性Ｘ１４は、伝送距離が０ｋｍ（ＢｔｏＢ：Ｂａｃｋ  ｔｏ  Ｂａｃｋ）の場合、その伝送容量が１３０Ｇｂｐｓであるのに対し、伝送距離が１０ｋｍの場合、ディップ発生で伝送容量が１００Ｇｂｐｓまで劣化する。従って、光送信器のチャープや光伝送路上で累積する波長分散等の相互作用によるディップ発生で光ＤＭＴ信号の伝送特性が劣化する。
【００１０】
一つの側面では、ディップ発生による伝送特性の劣化を抑制できる受信装置及び送信装置を提供することを目的とする。
【課題を解決するための手段】
【００１１】
一つの態様は、フィルタと、測定部と、決定部と、設定部とを有する。フィルタは、対向装置から受信したマルチキャリア信号を透過する。測定部は、前記対向装置から受信したマルチキャリア信号の伝送特性を測定する。決定部は、測定した伝送特性に基づき、前記マルチキャリア信号からディップを除去する前記フィルタのフィルタ周波数を決定する。設定部は、決定した前記フィルタ周波数を前記フィルタに設定する。
【発明の効果】
【００１２】
一つの側面として、ディップ発生による伝送特性の劣化を抑制できる。
【図面の簡単な説明】
【００１３】
【図１】図１は、実施例１の光伝送システムの一例を示す説明図である。
【図２】図２は、光ＤＭＴ信号の伝送特性（ＳＮＲ−割当周波数）の一例を示す説明図である。
【図３】図３は、光フィルタのオフセット周波数の取得方法の一例を示す説明図である。
【図４】図４は、光フィルタのフィルタ周波数を設定するまでの処理の一例を示す説明図である。
【図５】図５は、ネゴシエーション処理に関わる光伝送システムの処理動作の一例を示すフローチャートである。
【図６】図６は、第１の光フィルタ設定処理に関わる受信装置内の制御部の処理動作の一例を示すフローチャートである。
【図７】図７は、ＶＳＢ整形後の光ＤＭＴ信号の伝送特性（ＳＮＲ−割当周波数）の一例を示す説明図である。
【図８】図８は、実施例２の光伝送システムの一例を示す説明図である。
【図９】図９は、実施例３の光伝送システムの一例を示す説明図である。
【図１０】図１０は、伝送距離を１００ｋｍとした場合の光ＤＭＴ信号の伝送特性（相対強度−割当周波数）の一例を示す説明図である。
【図１１】図１１は、図１０に示す光ＤＭＴ信号内で発生する各ディップの周波数と伝送距離との関係の一例を示す説明図である。
【図１２】図１２は、ＶＳＢ整形後の光ＤＭＴ信号の伝送特性（ＳＮＲ−割当周波数）の一例を示す説明図である。
【図１３】図１３は、光フィルタのオフセット周波数の取得方法の一例を示す説明図である。
【図１４】図１４は、ネゴシエーション処理に関わる光伝送システムの処理動作の一例を示すフローチャートである。
【図１５】図１５は、第２の光フィルタ設定処理に関わる送信装置内の制御部の処理動作の一例を示すフローチャートである。
【図１６】図１６は、実施例４の光伝送システムの一例を示す説明図である。
【図１７】図１７は、各分散補償方式の比較例を示す説明図である。
【図１８】図１８は、実施例１及び実施例３のＶＳＢ整形後の光ＤＭＴ信号の伝送特性（伝送容量−伝送距離）の一例を示す説明図である。
【図１９】図１９は、ディップ発生の光ＤＭＴ信号に関わる伝送特性の一例を示す説明図である。
【図２０】図２０は、伝送距離毎の光ＤＭＴ信号に関わるディップ発生の一例を示す説明図である。
【図２１】図２１は、光ＤＭＴ信号の伝送特性（伝送容量−伝送距離）の一例を示す説明図である。
【発明を実施するための形態】
【００１４】
以下、図面に基づいて、本願の開示する受信装置及び送信装置の実施例を詳細に説明する。尚、本実施例により、開示技術が限定されるものではない。また、以下に示す実施例は、矛盾を起こさない範囲で適宜組み合わせても良い。
【実施例１】
【００１５】
図１は、実施例１の光伝送システム１の一例を示す説明図である。図１に示す光伝送システム１は、送信装置２と、対向側の受信装置３と、送信装置２と対向側の受信装置３との間を接続する光伝送路４とを有する。送信装置２及び受信装置３は、例えば、光メトロネットワークや光アクセスネットワーク、或いは、光コアネットワーク等内に収容された光モジュール等の伝送装置である。尚、説明の便宜上、送信装置２と受信装置３とを分別したが、伝送装置及び対向側の伝送装置には、送信装置２及び受信装置３を内蔵している。そして、伝送装置内の送信装置２から光ＤＭＴ信号を対向側の伝送装置内の受信装置３に伝送すると共に、対向側の伝送装置内の送信装置２から光ＤＭＴ信号を伝送装置内の受信装置３に伝送するものとする。
【００１６】
送信装置２は、変調部１１と、Ｄ／Ａ（Digital/Analog）１２と、光送信部１３と、制御部１４とを有する。変調部１１は、クライアント信号をＤＭＴ変調する変調部である。変調部１１は、Ｓ／Ｐ(Serial/Parallel)１１Ａと、マッピング部１１Ｂと、ＩＦＦＴ(Inverse  Fast  Fourier  Transform)１１Ｃと、Ｐ／Ｓ（Parallel/Serial）１１Ｄとを有する。Ｓ／Ｐ１１Ａは、シリアルのクライアント信号をＤＭＴ信号内のサブキャリア（ＳＣ：Subcarrier）本数分のデータをパラレルに変換する。マッピング部１１Ｂは、設定中のＳＣ毎の多値度及び信号パワーの割当量に基づき、各ＳＣに割り当てるクライアント信号のデータをマッピングする。ＩＦＦＴ１１Ｃは、設定中のＳＣ毎の多値度及び信号パワーの割当量に基づき、マッピング出力のデータを各ＳＣに分解するＩＦＦＴ処理を実行してＤＭＴ信号を出力する。Ｐ／Ｓ１１Ｄは、各ＳＣのデータのＤＭＴ信号をシリアル変換してＤ／Ａ１２に入力する。
【００１７】
Ｄ／Ａ１２は、シリアル変換したデータのＤＭＴ信号をアナログ変換し、アナログ変換したＤＭＴ信号を光送信部１３に伝送する。光送信部１３は、図示せぬアンプで増幅したＤＭＴ信号を図示せぬＬＤ（Laser  Diode）の光信号で光変調して光ＤＭＴ信号に変調し、光ＤＭＴ信号を光伝送路４に出力する。光伝送路４は、送信装置２から対向側の受信装置３へ光ＤＭＴ信号を光伝送する、例えば、光ファイバである。
【００１８】
制御部１４は、送信装置２全体を制御する。制御部１４は、依頼部１４Ａと、割当部１４Ｂとを有する。依頼部１４Ａは、光伝送システム１の起動時にプローブ信号の光ＤＭＴ信号を対向側の受信装置３に伝送するネゴシエーション開始を要求する。尚、プローブ信号は、光伝送システム１の起動時に実行するネゴシエーションに使用する、ＳＣ毎の多値度及び信号パワーの割当量が同一の試験信号である。割当部１４Ｂは、プローブ信号のネゴシエーション結果である伝送特性に応じてＳＣ毎の多値度及び信号パワーの割当量を決定し、決定したＳＣ毎の多値度及び信号パワーの割当量を変調部１１に設定する。
【００１９】
受信装置３は、光フィルタ２１と、光受信部２２と、Ａ／Ｄ（Analog/Digital）２３と、復調部２４と、フィルタ設定部２５と、制御部２６とを有する。光フィルタ２１は、光伝送路４から受信した光ＤＭＴ信号を透過する可変型フィルタである。光フィルタ２１は、設定中のフィルタ周波数に基づき、光ＤＭＴ信号をＶＳＢ（Vestigial  Sideband）整形する。その結果、光ＤＭＴ信号に発生したディップを除去できる。尚、ディップは、前述した通り、送信装置２内の光送信部１３で発生するチャープや、光伝送路４上で累積する波長分散等の相互作用によって発生するものである。
【００２０】
光受信部２２は、光ＤＭＴ信号をＰＤ（Photo  Diode）で電気変換し、電気変換したＤＭＴ信号を増幅してＡ／Ｄ２３に入力する。Ａ／Ｄ２３は、受信したＤＭＴ信号をデジタル変換し、デジタル変換したＤＭＴ信号を復調部２４に入力する。
【００２１】
復調部２４は、Ｓ／Ｐ２４Ａと、ＦＦＴ(Fast  Fourier  Transform)２４Ｂと、デマッピング部２４Ｃと、Ｐ／Ｓ２４Ｄとを有する。Ｓ／Ｐ２４Ａは、Ａ／Ｄ２３からＤＭＴ信号のデータをＳＣ単位のパラレルに変換する。ＦＦＴ２４Ｂは、ＳＣ毎の多値度及び信号パワーの割当量に基づき、ＳＣ毎のデータをＩＦＦＴ処理前のデータに復元する。デマッピング部２４Ｃは、復元したデータをデマッピングしてマッピング前のデータを取得し、マッピング前のデータをＰ／Ｓ２４Ｄに入力する。Ｐ／Ｓ２４Ｄは、入力したマッピング前のクライアント信号のデータをシリアル変換して出力する。
【００２２】
フィルタ設定部２５は、光フィルタ２１のフィルタ周波数をシフトすべく、光フィルタ２１を駆動制御する回路である。制御部２６は、受信装置３全体を制御する。制御部２６は、取得部２６Ａと、第１の決定部２６Ｂとを有する。取得部２６Ａは、送信装置２から受信したプローブ信号の光ＤＭＴ信号からネゴシエーション結果としての伝送特性を取得する。取得部２６Ａは、デマッピング部２４Ｃから光ＤＭＴ信号の伝送特性としてＳＣ番号毎のＳＮＲを含むＳＮＲ情報を取得する。尚、ＳＣ番号は、ＳＣを変調するボーレート換算することで周波数情報も取得できる。第１の決定部２６Ｂは、ネゴシエーション結果の伝送特性に基づき、光フィルタ２１のフィルタ周波数を決定する。
【００２３】
図２は、光ＤＭＴ信号の伝送特性（ＳＮＲ−周波数）の一例を示す説明図である。この場合の周波数は、光ＤＭＴ信号を受信した後、電気信号に変換された後の電気周波数を示す。図２に示す伝送特性Ｘ１は、ＢｔｏＢ（伝送距離が０ｋｍ）の理想的な光ＤＭＴ信号の伝送特性であり、伝送特性Ｘ２は、ＶＳＢ整形前の光ＤＭＴ信号の伝送特性である。光ＤＭＴ信号の伝送特性Ｘ２には、複数のディップが発生している。
【００２４】
図３は、光フィルタ２１のオフセット周波数の取得方法の一例を示す説明図である。受信装置３内の制御部２６の取得部２６Ａは、プローブ信号の光ＤＭＴ信号のネゴシエーション結果として伝送特性を取得する。そして、第１の決定部２６Ｂは、取得した伝送特性内のＳＮＲ情報からＤＣ成分（０ＧＨｚ）付近のＳＮＲを基準値とする。尚、基準値は、例えば、取得部２６Ａで取得したＳＮＲ情報のＤＣ成分（０ＧＨｚ）付近の最小のＳＣ番号１の周波数ｆ１に対応するＳＮＲ１とする。
【００２５】
第１の決定部２６Ｂは、伝送特性のＳＮＲ情報に基づき、基準値（ＳＮＲ１）から３ｄＢ低下した時点のＳＮＲｉに対応する周波数ｆｉを光フィルタ２１のオフセット周波数ｆｅと決定する。図４は、光フィルタ２１のフィルタ周波数を設定するまでの処理の一例を示す説明図である。図４の（Ａ）及び（Ｃ）の横軸は、光周波数（波長）νを示し、（Ｂ）及び（Ｄ）の横軸は、光ＤＭＴ信号を受信した後の電気信号の周波数を示す。図４の（Ａ）に示す特性は、光フィルタ２１のフィルタ特性を示し、光フィルタ２１の透過帯域を２Ｂ（Ｂ＋Ｂ）、光フィルタ２１の中心光周波数（中心波長）をνｆ、光ＤＭＴ信号の中心光周波数（中心波長）をνｓとする。この場合、光フィルタ２１の中心光周波数νｆは、光ＤＭＴ信号の中心光周波数νｓに合せる。
【００２６】
光ＤＭＴ信号の伝送特性は、図４の（Ｂ）に示すようにディップＤが発生している。そして、第１の決定部２６Ｂは、前述した通り、基準値から３ｄＢ低下した時点の周波数をオフセット周波数ｆｅと決定する。そして、フィルタ設定部２５は、図４の（Ｃ）に示すように、決定したオフセット周波数ｆｅが光フィルタ２１の透過帯域のエッジ周波数になるように光フィルタ２１のフィルタ周波数をシフトすべく、中心光周波数νｆをシフトする。その結果、光ＤＭＴ信号の伝送特性は、図４の（Ｄ）に示すように、オフセット周波数ｆｅ以降の高周波帯域が除去されることで、ディップＤを除去できる。
【００２７】
送信装置２内の制御部１４と受信装置３内の制御部２６との間は、光伝送路４と異なる制御線５で伝送特性や割当量等の情報を伝送するようにした。しかしながら、伝送特性や割当量等の情報をＯＳＣ（Optical  Supervisory  Channel）信号内に含めて光伝送路４で伝送するようにしても良い。
【００２８】
次に実施例１の光伝送システム１の動作について説明する。図５は、ネゴシエーション処理に関わる光伝送システム１の処理動作の一例を示すフローチャートである。図５に示すネゴシエーション処理は、システム起動時に送信装置２から受信装置３へ伝送するプローブ信号の光ＤＭＴ信号の伝送特性を取得し、取得した伝送特性からＳＣ毎の多値度及び信号パワーの割当量を設定する処理である。
【００２９】
図５において送信装置２は、光伝送路４を通じてプローブ信号の光ＤＭＴ信号を受信装置３に伝送する（ステップＳ１１）。受信装置３内の制御部２６内の取得部２６Ａは、プローブ信号の光ＤＭＴ信号からネゴシエーション結果の伝送特性を取得する（ステップＳ１２）。受信装置３内の制御部２６内の第１の決定部２６Ｂは、取得した伝送特性から決定した光フィルタ２１のオフセット周波数ｆｅに基づき、光フィルタ２１のフィルタ周波数を設定する第１の設定処理を実行する（ステップＳ１３）。
【００３０】
そして、送信装置２は、光伝送路４を通じてプローブ信号の光ＤＭＴ信号を受信装置３に伝送する（ステップＳ１４）。受信装置３内の取得部２６Ａは、プローブ信号の光ＤＭＴ信号からネゴシエーション結果の伝送特性を取得する（ステップＳ１５）。受信装置３は、取得した伝送特性を送信装置２に通知する（ステップＳ１６）。送信装置２は、取得した伝送特性に基づき、ＳＣ毎の多値度及び信号パワーの割当量を決定し（ステップＳ１７）、決定したＳＣ毎の多値度及び信号パワーの割当量を変調部１１に設定し（ステップＳ１８）、図５に示す処理動作を終了する。
【００３１】
図５に示すネゴシエーション処理では、システム起動時に送信装置２と受信装置３との間でプローブ信号の光ＤＭＴ信号を伝送することで伝送特性を取得し、取得した伝送特性に基づき、ＳＣ毎の多値度及び信号パワーの割当量を変調部１１に設定する。その結果、装置特性や光伝送路４の特性等が劣化した場合でも、その伝送エラーの発生を効率良く抑制できる。そして、光伝送システム１での周波数効率の向上が図れる。
【００３２】
図６は、第１の設定処理に関わる受信装置３内の制御部２６の処理動作の一例を示すフローチャートである。図６に示す第１の設定処理は、ネゴシエーション実行時に取得した伝送特性に基づき、光ＤＭＴ信号に発生するディップを除去するＶＳＢ整形を実行する際の光フィルタ２１のフィルタ周波数を決定する処理である。
【００３３】
図６において受信装置３内の制御部２６内の取得部２６Ａは、取得したネゴシエーション結果の伝送特性のＳＮＲ情報から基準値（ｆ１、ＳＮＲ１）を決定し、決定した基準値（ｆ１、ＳＮＲ１）を記憶する（ステップＳ２１）。取得部２６Ａは、伝送特性のＳＮＲ情報から次に高い周波数のＳＮＲ情報（ｆｉ，ＳＮＲｉ）を抽出する（ステップＳ２２）。第１の決定部２６Ｂは、抽出したＳＮＲ情報内のＳＮＲｉと基準値のＳＮＲ１とを比較する（ステップＳ２３）。
【００３４】
第１の決定部２６Ｂは、ＳＮＲ差（ＳＮＲ１−ＳＮＲｉ）が３ｄＢ以上であるか否かを判定する（ステップＳ２４）。取得部２６Ａは、ＳＮＲ差が３ｄＢ以上でない場合（ステップＳ２４否定）、次のＳＮＲ情報を抽出すべく、ステップＳ２２に移行する。
【００３５】
第１の決定部２６Ｂは、ＳＮＲ差が３ｄＢ以上の場合（ステップＳ２４肯定）、基準値から３ｄＢ低下したと判断し、ＳＮＲ差が３ｄＢ以上と判断されたときのＳＮＲ情報内の周波数ｆｉを決定する（ステップＳ２５）。第１の決定部２６Ｂは、決定された周波数ｆｉを光フィルタ２１のオフセット周波数ｆｅと決定する（ステップＳ２６）。第１の決定部２６Ｂは、決定したオフセット周波数ｆｅが光フィルタ２１の透過帯域のエッジ周波数になるように光フィルタ２１のフィルタ周波数に決定する（ステップＳ２７）。第１の決定部２６Ｂは、決定した光フィルタ２１のフィルタ周波数をフィルタ設定部２５に設定し（ステップＳ２８）、図６に示す処理動作を終了する。その結果、フィルタ設定部２５は、設定したフィルタ周波数を光フィルタ２１に設定する。
【００３６】
受信装置３は、設定したフィルタ周波数に基づき、光フィルタ２１を通じてＶＳＢ整形後の光ＤＭＴ信号を取得する。図７は、ＶＳＢ整形後の光ＤＭＴ信号の伝送特性の一例を示す説明図である。図７に示す伝送特性Ｘ３は、ＶＳＢ整形後の光ＤＭＴ信号の伝送特性である。伝送特性Ｘ３は、ＶＳＢ整形なしの光ＤＭＴ信号の伝送特性Ｘ２に比較してディップの影響を抑制できるため、その伝送特性の劣化を低減できる。つまり、伝送特性Ｘ２では、１．５ｍｍ帯での伝送容量１００Ｇｂｐｓの場合、伝送制限が約１０ｋｍであるのに対し、伝送特性Ｘ３の伝送制限は１００ｋｍである。伝送容量と伝送距離の関係の一例を図１８に示す。
【００３７】
実施例１の受信装置３は、光ＤＭＴ信号のネゴシエーション結果である伝送特性に基づき、光ＤＭＴ信号からディップを除去するように光フィルタ２１のフィルタ周波数を設定し、光フィルタ２１でＶＳＢ整形後の光ＤＭＴ信号を取得できる。その結果、受信装置３は、光ＤＭＴ信号の高周波帯域からディップを除去できるため、その伝送特性の劣化を抑制できる。
【００３８】
受信装置３は、伝送特性のＳＮＲ情報から割当周波数毎のＳＮＲに基づき、基準値（ＳＮＲ１）から３ｄＢ低下したときのＳＮＲに対応する割当周波数を決定する。更に、受信装置３は、決定した割当周波数が光フィルタ２１の透過帯域のエッジ周波数になるように光フィルタ２１のフィルタ周波数を動的に決定する。その結果、受信装置３は、光ＤＭＴ信号の高周波帯域からディップを除去できるため、その伝送特性の劣化を抑制できる。
【００３９】
更に、受信装置３は、ＤＭＴ固有のネゴシエーション結果の伝送特性を用いてＳＮＲ情報を取得し、ＳＮＲ情報に基づき、光ＤＭＴ信号からディップを除去するように光フィルタ２１のフィルタ周波数を設定する。その結果、光ＤＭＴ信号からディップを除去できるため、光ＤＭＴ信号の伝送特性の劣化を抑制できる。
【００４０】
ディップ発生の光ＤＭＴ信号のＳＮＲは、ＢｔｏＢの光ＤＭＴ信号に比較し、３ｄＢを超えて低下するものの、ＶＳＢ整形後の光ＤＭＴ信号のＳＮＲは、最大３ｄＢの低下で済むため、ＶＳＢ整形なしの場合に比較して、伝送特性の劣化を抑制できる。
【００４１】
受信装置３は、光フィルタ２１、取得部２６Ａ及び第１の決定部２６Ｂに内蔵しているため、制御線５を使用せずに、光フィルタ２１のオフセット周波数ｆｅが決定できるため、オフセット周波数ｆｅの決定に要する処理時間を短縮化できる。
【００４２】
尚、上記実施例１では、基準値をＳＣ番号１のＤＣ成分（０ＧＨｚ）付近のＳＮＲ１としたが、雑音が乗るケースも考えられるため、次のＳＣ番号２やＳＣ番号３付近の比較的ＤＣ成分近傍のＳＣ番号の周波数のＳＮＲに設定しても良く。適宜変更可能である。
【００４３】
上記実施例１では、光フィルタ２１及びフィルタ設定部２５を受信装置３に内蔵するようにしたが、光フィルタ２１及びフィルタ設定部２５を送信装置２に内蔵しても良い。この場合の実施の形態につき、実施例２として以下に説明する。
【実施例２】
【００４４】
図８は、実施例２の光伝送システム１Ａの一例を示す説明図である。尚、図１に示す光伝送システム１と同一の構成には同一符号を付すことで、その重複する構成及び動作の説明については省略する。
【００４５】
図８に示す受信装置３Ａは、光受信部２２、Ａ／Ｄ２３、復調部２４及び制御部２６を有する。送信装置２Ａは、変調部１１、Ｄ／Ａ１２、光送信部１３及び制御部１４の他に、光フィルタ２１Ａ及びフィルタ設定部２５Ａを有する。更に、制御部１４は、第１の設定処理を実行する第１の決定部１４Ｃを有する。
【００４６】
送信装置２Ａ内の制御部１４内の第１の決定部１４Ｃは、受信装置３Ａからプローブ信号の光ＤＭＴ信号の伝送特性を受信し、受信した伝送特性に基づき、図６に示す第１の設定処理を実行する。第１の決定部１４Ｃは、第１の設定処理で光フィルタ２１Ａのフィルタ周波数を決定する。第１の決定部１４Ｃは、決定したフィルタ周波数をフィルタ設定部２５Ａに通知する。フィルタ設定部２５Ａは、フィルタ周波数を光フィルタ２１Ａに設定する。その結果、光フィルタ２１Ａは、設定したフィルタ周波数に基づき、光ＤＭＴ信号をＶＢＳ整形し、ＶＳＢ整形後の光ＤＭＴ信号を、光伝送路４を経由して受信装置３Ａに伝送する。ＶＳＢ整形後の光ＤＭＴ信号の伝送特性Ｘ３は、ＶＳＢ整形なしの光ＤＭＴ信号の伝送特性Ｘ２に比較してディップＤの影響を抑制できているため、その伝送特性の劣化を低減できる。
【００４７】
実施例２の送信装置２Ａは、光ＤＭＴ信号のネゴシエーション結果である伝送特性を受信装置３Ａから取得し、この伝送特性に基づき、光ＤＭＴ信号からディップを除去するように光フィルタ２１Ａのフィルタ周波数を設定する。そして、送信装置２Ａは、光フィルタ２１ＡでＶＳＢ整形後の光ＤＭＴ信号を取得できる。その結果、送信装置２Ａは、光ＤＭＴ信号の高周波帯域からディップを除去できるため、その伝送特性の劣化を抑制できる。
【００４８】
送信装置２Ａは、伝送特性のＳＮＲ情報から割当周波数毎のＳＮＲに基づき、基準値（ＳＮＲ１）から３ｄＢ低下したときのＳＮＲに対応する割当周波数を決定する。更に、送信装置２Ａは、決定した割当周波数が光フィルタ２１Ａの透過帯域のエッジ周波数になるように光フィルタ２１Ａのフィルタ周波数を動的に決定する。その結果、送信装置２Ａは、光ＤＭＴ信号の高周波帯域からディップを除去できるため、その伝送特性の劣化を抑制できる。
【００４９】
更に、送信装置２Ａは、ＤＭＴ固有のネゴシエーション結果の伝送特性を用いてＳＮＲ情報を取得し、ＳＮＲ情報に基づき、光ＤＭＴ信号からディップを除去するように光フィルタ２１Ａのフィルタ周波数を設定する。その結果、光ＤＭＴ信号からディップを除去できるため、光ＤＭＴ信号の伝送特性の劣化を抑制できる。
【００５０】
送信装置２Ａは、光フィルタ２１Ａを内蔵するため、光ＤＭＴ信号の変調成分をほぼ半減して伝送し、信号パワーに依存して発生する非線形光学効果を低減できる。更に、光フィルタ２１Ａを光送信部１３と一体化してモジュール化できる。
【００５１】
上記実施例１及び２では、基準値から３ｄＢ低下したＳＮＲの周波数ｆｅを光フィルタ２１（２１Ａ）のオフセット周波数と決定する。更に、オフセット周波数が光フィルタ２１（２１Ａ）の透過帯域のエッジ周波数となるように光フィルタ２１（２１Ａ）のフィルタ周波数を決定した。しかしながら、光ＤＭＴ信号からディップを除去する方法としては、別の方法を採用しても良い。この場合の実施の形態につき、実施例３として、以下に説明する。
【実施例３】
【００５２】
図９は、実施例３の光伝送システム１Ｂの一例を示す説明図である。尚、図１に示す光伝送システム１と同一の構成には同一符号を付すことで、その重複する構成及び動作の説明については省略する。
【００５３】
図９に示す光伝送システム１Ｂと図１に示す光伝送システム１とが異なるところは、送信装置２Ｂ及び受信装置３Ｂの内部構成にある。受信装置３Ｂは、光受信部２２と、Ａ／Ｄ２３と、復調部２４と、制御部２６とを有する。光受信部２２は、光伝送路４からプローブ信号の光ＤＭＴ信号を受信し、受信した光ＤＭＴ信号を電気変換してＤＭＴ信号を出力する。Ａ／Ｄ２３は、光受信部２２からのＤＭＴ信号をデジタル変換する。復調部２４は、デジタル変換したＤＭＴ信号を復調出力する。制御部２６内の取得部２６Ａは、復調部２４で復調したプローブ信号の光ＤＭＴ信号のネゴシエーション結果である伝送特性を取得する。そして、制御部２６Ａは、取得した伝送特性を、制御線を通じて送信装置２Ｂ内の制御部１４に通知する。
【００５４】
送信装置２Ｂは、変調部１１、Ｄ／Ａ１２、光送信部１３及び制御部１４の他に、光フィルタ３１と、フィルタ設定部３２と、フィルタ制御部３３とを有する。光フィルタ３１は、光送信部１３からの光ＤＭＴ信号をＶＳＢ整形するフィルタである。フィルタ設定部３２は、後述する漸近値以降の高周波成分を除去するようにフィルタ周波数を光フィルタ３１に設定する。フィルタ制御部３３は、光分岐部４１と、ＰＤ４２と、ＢＰＦ（Band  Pass  Filter）４３と、検出部４４とを有する。光分岐部４１は、光フィルタ３１のＶＳＢ整形後の光ＤＭＴ信号を光伝送路４及びＰＤ４２に光分岐する。ＰＤ４２は、光分岐部４１で光分岐したＶＳＢ整形後の光ＤＭＴ信号を電気変換するフォトダイオードである。ＢＰＦ４３は、電気変換後のＤＭＴ信号から、後述するＶＳＢ整形後の固有のディップＤ１、例えば２ＧＨｚ付近の周波数の信号成分を抽出するフィルタである。
【００５５】
ここで、漸近値について説明する。図１０は、伝送距離を１００ｋｍとした場合の光ＤＭＴ信号の伝送特性（相対強度−割当周波数）の一例を示す説明図である。図１０に示す伝送特性は、伝送距離が１００ｋｍ、光送信器１３のチャープαが０．７の場合、ｕ０、ｕ１，ｕ２，ｕ３，ｕ４…の順序でディップが発生する。その結果、ディップ発生に応じて光ＤＭＴ信号の相対強度が著しく低下する。図１１は、図１０に示す光ＤＭＴ信号内で発生する各ディップの周波数と伝送距離との関係の一例を示す説明図である。図１０に示す各ディップｕ０、ｕ１，ｕ２，ｕ３，ｕ４は、伝送距離が長くなるに連れてディップの発生周波数が低くなるものの、４．９ＧＨｚ以下ではディップが発生しないことが解る。そこで、ディップが発生しなくなる周波数、例えば、４．９ＧＨｚを漸近値とする。
【００５６】
光フィルタ３１のフィルタ周波数は、光フィルタ３１の透過帯域のエッジ周波数が漸近値４．９ＧＨｚ以下となるように事前に設定する。更に、ＢＰＦ４３のフィルタ周波数は、ＶＳＢ整形後の固有のディップＤ１、例えば、２ＧＨｚ付近の周波数に設定する。図１２は、ＶＳＢ整形後の光ＤＭＴ信号の伝送特性（ＳＮＲ−割当周波数）の一例を示す説明図である。図１２に示す伝送特性Ｘ３Ａは、ＶＳＢ整形後の光ＤＭＴ信号の伝送特性である。伝送特性Ｘ３Ａは、ＶＳＢ整形なしの光ＤＭＴ信号の伝送特性Ｘ２に比較してディップの影響を抑制できるため、その伝送特性の劣化を低減できる。しかしながら、伝送特性Ｘ３Ａには、ＶＳＢ整形による固有のディップＤ１が２ＧＨｚ付近に発生する。尚、固有のディップＤ１は、光フィルタ３１の遮断傾斜や光送信部１３内のＬＤの線幅等で発生する。この固有のディップＤ１よって局所的にパワーが低下する特徴を利用して、以下に示すように光フィルタ３１の設定を行う。
【００５７】
検出部４４は、ＢＰＦ４３で抽出した２ＧＨｚ付近の周波数の信号成分を電力変換してパワーを検出する。図１３は、光フィルタ３１のオフセット周波数の取得方法の一例を示す説明図である。
【００５８】
送信装置２Ｂ内の制御部１４は、依頼部１４Ａ及び割当部１４Ｂの他に、第２の決定部１４Ｄを有する。第２の決定部１４Ｄは、検出部４４で検出した周波数毎の信号成分の隣接する前後ステップのパワー同士を比較する。第２の決定部１４Ｄは、図１３に示すように、前ステップＳ（ｉ）のパワーＰ（ｉ）と後ステップＳ（ｉ＋１）のパワーＰ（ｉ＋１）とを比較する。第２の決定部１４Ｄは、（パワーＰ（ｉ）−パワーＰ（ｉ＋１））のパワー差が０になる、光フィルタ３１のステップ位置を決定する。尚、ステップ位置は、光フィルタ３１のフィルタ周波数を段階的にシフトするためのステップ数である。
【００５９】
第２の決定部１４Ｄは、決定されたステップ位置で、オフセット周波数が光フィルタ３１の透過帯域のエッジ周波数になるように光フィルタ３１のフィルタ周波数を決定する。更に、第２の決定部１４Ｄは、決定されたフィルタ周波数をフィルタ設定部３２に設定する。
【００６０】
次に実施例３の光伝送システム１Ｂの動作について説明する。図１４は、ネゴシエーション処理に関わる光伝送システム１Ｂの処理動作の一例を示すフローチャートである。図１４において送信装置２Ｂは、プローブ信号の光ＤＭＴ信号を受信装置３Ｂに伝送する（ステップＳ３１）。この際、送信装置２Ｂは、プローブ信号の光ＤＭＴ信号を光分岐部４１で光分岐し、光分岐した光ＤＭＴ信号に対して第２の設定処理を実行する（ステップＳ３２）。
【００６１】
受信装置３Ｂは、送信装置２Ｂから光伝送路４を経由して受信した光ＤＭＴ信号からネゴシエーション結果の伝送特性を取得する（ステップＳ３３）。受信装置３Ｂは、取得した伝送特性を送信装置２Ｂに通知する（ステップＳ３４）。送信装置２Ｂは、取得した伝送特性に基づき、ＳＣ毎の多値度及び信号パワーの割当量を決定し（ステップＳ３５）、決定したＳＣ毎の多値度及び信号パワーの割当量を変調部１１に設定し（ステップＳ３６）、図１４に示す処理動作を終了する。
【００６２】
図１４に示すネゴシエーション処理では、システム起動時に送信装置２Ｂと受信装置３Ｂとの間でプローブ信号の光ＤＭＴ信号を伝送することで伝送特性を取得し、取得した伝送特性に基づき、ＳＣ毎の多値度及び信号パワーの割当量を変調部１１に設定する。その結果、装置特性や光伝送路４の特性等が劣化した場合でも、その伝送エラーの発生を効率良く抑制できる。そして、光伝送システム１Ｂでの周波数効率の向上が図れる。
【００６３】
図１５は、第２の設定処理に関わる送信装置２Ｂ内の制御部１４の処理動作の一例を示すフローチャートである。図１５に示す第２の設定処理は、ＶＳＢ整形後の光ＤＭＴ信号から固有のディップＤ１を利用した光フィルタ３１のフィルタ周波数を決定する処理である。
【００６４】
図１５において送信装置２Ｂ内の制御部１４は、光ＤＭＴ信号の中心周波数に光フィルタ３１の透過帯域の中心周波数を合わせるように光フィルタ３１のフィルタ周波数を設定する（ステップＳ４１）。
【００６５】
制御部１４の第２の決定部１４Ｄは、光フィルタ３１のエッジ周波数として設定した、ＢＰＦ４３により抽出した信号成分のパワーＰ（ｉ）を、検出部４４を通じて取得して記憶する（ステップＳ４２）。第２の決定部１４Ｄは、光フィルタ３１のフィルタ周波数を一定の周波数方向（高周波方向又は低周波方向）に所定量シフトし、シフト後のフィルタ周波数に対応するステップをフィルタ設定部３２に設定する（ステップＳ４３）。
【００６６】
第２の決定部１４Ｄは、検出部４４を通じて光フィルタ３１のエッジ周波数の信号成分のパワーＰ（ｉ＋１）を取得して記憶する（ステップＳ４４）。第２の決定部１４Ｄは、記憶中の前後の周波数の信号成分のパワーＰ（ｉ）とＰ（ｉ＋１）とを比較する（ステップＳ４５）。
【００６７】
第２の決定部１４Ｄは、比較結果に基づき、前後の周波数の信号成分のパワー差（Ｐ（ｉ）−Ｐ（ｉ＋１））が０以下であるか否かを判定する（ステップＳ４６）。第２の決定部１４Ｄは、前後の周波数の信号成分のパワー差が０以下でない場合（ステップＳ４６否定）、記憶中のパワーＰ（ｉ＋１）をパワーＰ（ｉ）として更新する（ステップＳ４７）。そして、第２の決定部１４Ｄは、次の周波数成分のパワーＰ（ｉ＋１）を取得するように光フィルタ３１のフィルタ周波数をシフトすべく、ステップＳ４３に移行する。
【００６８】
第２の決定部１４Ｄは、前後の周波数の信号成分のパワー差が０以下の場合（ステップＳ４６肯定）、現在設定中のフィルタ周波数に相当するステップを維持したまま、図１５に示す処理動作を終了する。
【００６９】
図１５に示す第２の設定処理では、固有のディップＤ１の局所的なパワーの極小値を利用して、その極小値に光フィルタ３１のエッジが来るようにフィルタ周波数を設定したので、受信装置２４のＤＭＴ信号の復調処理を介することなく、フィルタ制御部３３は簡易な構成で済む。
【００７０】
実施例３の送信装置２Ｂは、伝送距離の増加に応じてディップが発生しなくなる漸近値の周波数が光フィルタ３１の透過帯域のエッジ周波数になるように光フィルタ３１のフィルタ周波数を設定する。更に、送信装置２Ｂは、光フィルタ３１で透過したＶＳＢ整形後の光ＤＭＴ信号に発生する固有ディップＤ１を利用して光フィルタ３１の設定周波数を決定する。その結果、ＶＳＢ整形前の光ＤＭＴ信号に発生するディップＤを除去できるため、光ＤＭＴ信号の伝送特性の劣化を抑制できる。
【００７１】
送信装置２Ｂは、受信装置３Ｂから取得したネゴシエーション結果の伝送特性内の割当周波数に相当するステップ毎のＳＮＲに相当する信号パワーを参照する。そして、送信装置２Ｂは、信号パワーに基づき、光フィルタ３１の透過後の光ＤＭＴ信号に発生する固有ディップＤ１の周波数が光フィルタ３１の透過帯域のエッジ周波数になるように光フィルタ３１のステップを決定する。
【００７２】
送信装置２Ｂは、漸近値で光ＤＭＴ信号をＶＳＢ整形するため、実施例１の光ＤＭＴ信号のディップの発生周波数に応じて動的にフィルタ周波数を変更する場合に比較し、伝送特性がフラットになる。その結果、光ＤＭＴ信号の伝送特性に基づく多値度及び信号パワーの割当処理が軽減できる。
【００７３】
送信装置２Ｂは、光フィルタ３１及びフィルタ制御部３３を内蔵するため、受信装置３Ｂから伝送特性を取得しなくても、送信装置２Ｂ内で閉じたフィルタ設定が可能となる。
【００７４】
尚、上記実施例３では、送信装置２Ｂ内に、光フィルタ３１、フィルタ設定部３２及びフィルタ制御部３３を内蔵したが、送信装置２Ｂではなく、受信装置３Ｂ内に、光フィルタ３１、フィルタ設定部３２及びフィルタ制御部３３を内蔵しても良い。この場合の実施の形態につき、実施例４として以下に説明する。
【実施例４】
【００７５】
図１６は、実施例４の光伝送システム１Ｃの一例を示す説明図である。尚、図９に示す光伝送システム１Ｂと同一の構成には同一符号を付すことで、その重複する構成及び動作の説明については省略する。
【００７６】
図９に示す光伝送システム１Ｂと図１６に示す光伝送システム１Ｃとが異なるところは、受信装置３Ｃ内に、光フィルタ３１Ａ、フィルタ設定部３２Ａ及びフィルタ制御部３３Ａを内蔵した点にある。
【００７７】
送信装置２Ｃは、プローブ信号の光ＤＭＴ信号を光伝送路４経由で受信装置３Ｃに伝送する。受信装置３Ｃ内のフィルタ設定部３２Ａは、光フィルタ３１Ａの透過帯域のエッジ周波数が漸近値になるようにフィルタ周波数を光フィルタ３１Ａに設定する。
【００７８】
光フィルタ３１Ａは、光伝送路４からの光ＤＭＴ信号をＶＳＢ整形する。フィルタ設定部３２Ａは、漸近値以降の高周波成分を除去するフィルタ周波数を光フィルタ３１に設定する。フィルタ制御部３３Ａは、光分岐部４１Ａと、ＰＤ４２Ａと、ＢＰＦ４３Ａと、検出部４４Ａとを有する。光分岐部４１Ａは、漸近値でＶＳＢ整形後の光ＤＭＴ信号を光受信部２２及びＰＤ４２Ａに光分岐する。ＰＤ４２Ａは、光分岐した漸近値でＶＳＢ整形後の光ＤＭＴ信号を電気変換する。ＢＰＦ４３Ａは、電気変換後のＤＭＴ信号から固有のディップＤ１付近、例えば、２ＧＨｚ付近の周波数の信号成分を抽出する。検出部４４Ａは、抽出した固有のディップＤ１付近の周波数の信号成分を電力変換してパワーを検出する。
【００７９】
受信装置３Ｃ内の制御部２６は、取得部２６Ａの他に、第２の決定部２６Ｃを有する。第２の決定部２６Ｃは、検出部４４Ａで検出した周波数毎の信号成分の隣接する前後ステップのパワー同士を比較する。第２の決定部２６Ｃは、図１３に示すように、前ステップＳ（ｉ）のパワーＰ（ｉ）と後ステップＳ（ｉ＋１）のパワーＰ（ｉ＋１）とを比較する。第２の決定部２６Ｃは、（パワーＰ（ｉ）−パワーＰ（ｉ＋１））のパワー差が０以下ではない場合には、光フィルタ３１Ａのステップを継続し、パワー差が０以下になった時点で光フィルタ３１Ａの制御を終了し、光フィルタ３１Ａのステップ位置を決定する。尚、ステップ位置は、光フィルタ３１Ａのフィルタ周波数を段階的にシフトするためのステップ数である。
【００８０】
第２の決定部２６Ｃは、決定されたステップ位置で、オフセット周波数が光フィルタ３１Ａの透過帯域のエッジ周波数になるように光フィルタ３１Ａのフィルタ周波数を決定する。更に、第２の決定部２６Ｃは、決定されたフィルタ周波数をフィルタ設定部３２Ａに設定する。
【００８１】
次に実施例４の光伝送システム１Ｃの動作について説明する。受信装置３Ｃ内の制御部２６は、光ＤＭＴ信号の中心周波数に光フィルタ３１Ａの透過帯域の中心周波数を合わせるように光フィルタ３１Ａのフィルタ周波数を設定する。
【００８２】
制御部２６の第２の決定部２６Ｃは、光フィルタ３１Ａのエッジ周波数として設定した、ＢＰＦ４３Ａにより抽出した信号成分のパワーＰ（ｉ）を、検出部４４Ａを通じて取得して記憶する。第２の決定部２６Ｃは、光フィルタ３１Ａのフィルタ周波数を一定の周波数方向（高周波方向又は低周波方向）に所定量シフトし、シフト後のフィルタ周波数をフィルタ設定部３２Ａに設定する。
【００８３】
第２の決定部２６Ｃは、検出部４４Ａを通じて光フィルタ３１Ａのエッジ周波数の信号成分のパワーＰ（ｉ＋１）を取得して記憶する。第２の決定部２６Ｃは、記憶中の前後の周波数の信号成分のパワーＰ（ｉ）とＰ（ｉ＋１）とを比較する。
【００８４】
第２の決定部２６Ｃは、比較結果に基づき、前後の周波数の信号成分のパワー差（Ｐ（ｉ）−Ｐ（ｉ＋１））が０以下であるか否かを判定する。第２の決定部２６Ｃは、前後の周波数の信号成分のパワー差が０以下でない場合、記憶中のパワーＰ（ｉ＋１）をパワーＰ（ｉ）として更新し、次の周波数成分のパワーＰ（ｉ＋１）を取得すべく、光フィルタ３１Ａのフィルタ周波数をシフトする。
【００８５】
第２の決定部２６Ｃは、前後の周波数の信号成分のパワー差が０以下の場合、現在設定中のフィルタ周波数に相当するステップを維持したまま、処理動作を終了する。
【００８６】
制御部２６では、固有のディップＤ１の局所的なパワーの極小値を利用して、その極小値に光フィルタ３１Ａのエッジが来るようにフィルタ周波数を設定したので、受信装置２４のＤＭＴ信号の復調処理を介することなく、フィルタ制御部３３Ａは簡易な構成で済む。
【００８７】
実施例４の受信装置３Ｃは、伝送距離の増加に応じてディップＤが発生しなくなる漸近値の周波数が光フィルタ３１Ａの透過帯域のエッジ周波数になるように光フィルタ３１Ａのフィルタ周波数を設定する。その結果、ＶＳＢ整形なしの光ＤＭＴ信号に発生するディップＤを除去できるため、光ＤＭＴ信号の伝送特性の劣化を抑制できる。
【００８８】
受信装置３Ｃは、取得したネゴシエーション結果の伝送特性内の割当周波数に対応するステップ毎のＳＮＲに相当する信号パワーを参照する。受信装置３Ｃは、信号パワーに基づき、光フィルタ３１Ａの透過後の光ＤＭＴ信号に発生する固有ディップＤ１の周波数が光フィルタ３１Ａの透過帯域のエッジ周波数になるように光フィルタ３１Ａのステップを決定する。
【００８９】
受信装置３Ｃは、漸近値で光ＤＭＴ信号をＶＳＢ整形するため、実施例１の光ＤＭＴ信号のディップの発生周波数に応じて動的にフィルタ周波数を変更する場合に比較し、伝送特性がフラットになる。その結果、光ＤＭＴ信号の伝送特性に基づく多値度及び信号パワーの割当処理が軽減できる。
【００９０】
受信装置３Ｃは、光フィルタ３１Ａ及びフィルタ制御部３３Ａを内蔵するため、受信装置３Ｃ内で閉じたフィルタ設定が可能となる。
【００９１】
尚、上記実施例３及び４では、光フィルタ３１（３１Ａ）をステップで段階的にフィルタ周波数を調整するようにしたが、周波数で連続的に調整するようにしても良い。
【００９２】
図１７は、分散による伝送特性の劣化を回避するために用いられている各分散補償方式の比較例を示す説明図である。ＤＣＦ（Dispersion  Compensating  Fiber）方式では、信号ロスが大、回路構成は簡易、補償量が固定、信号遅延が大、設置位置も送信装置又は受信装置に設置可、波長多重（ＷＤＭ：Ｗａｖｅｌｅｎｇｔｈ  Ｄｉｖｉｓｉｏｎ  Ｍｕｌｔｉｐｌｘｉｎｇ）信号にも適用可能である。ＶＩＰＡ（Virtually  Imaged  Phased  Array）方式では、信号ロスが大、回路構成は複雑、補償量が可変、信号遅延は小、設置位置も送信装置又は受信装置に設置可である。ＦＢＧ（Fiber  Bragg  Grating）方式では、信号ロスが小、回路構成は簡易、補償量が固定、信号遅延が小、設置位置も送信装置又は受信装置に設置可、ＷＤＭにも適用可能である。ＯＰＣ（Optical  Phase  Conjugation）方式では、信号ロスが大、回路構成は複雑、補償量が固定、信号遅延が中、設置位置も中継装置に設置可、ＷＤＭにも適用可能である。ＯＦＴ（Optical  Fourier  Transform）方式では、信号ロスが大、回路構成は複雑、補償量が不問、信号遅延が中、設置位置も受信装置に設置可である。ＳＳＢ（Single  Side  Band）移相方式では、信号ロスが大、回路構成は複雑、補償量が不問、信号遅延が小、設置位置も送信装置又は受信装置に設置可である。ＳＳＢ（Single  Side  Band）フィルタ方式では、信号ロスが小、回路構成は簡易、補償量が不問、信号遅延が小、設置位置も送信装置又は受信装置に設置可、ＡＷＧ（Ａｒｒａｙｅｄ  Ｗａｖｅｇｕｉｄｅ  Ｇｒａｔｉｎｇ）やＩＬ（Ｉｎｔｅｒｌｅａｖｅｒ）のような波長周回性フィルタを用いることによって、ＷＤＭにも適用可能である。ＳＳＢフィルタ方式を採用した場合、光ＤＭＴ信号の上側波帯若しくは下側波帯の何れか一方を除去するＳＳＢ整形で光ＤＭＴ信号内のディップを除去できる。ＶＳＢ（Vestigial  Side  Band）フィルタ方式では、信号ロスが小、回路構成は簡易、補償量が不問、信号遅延が小、設置位置も送信装置又は受信装置に設置可、ＡＷＧあるいはＩＬを用いる事でＷＤＭにも適用可能である。尚、ＶＳＢフィルタ方式が本実施例に採用した分散補償方式である。
【００９３】
図１８は、実施例１及び実施例３の光ＤＭＴ信号の伝送特性（伝送容量−伝送距離）の一例を示す説明図である。図１８に示す伝送特性Ｘ１５は、ＳＳＢ整形後の光ＤＭＴ信号の伝送特性である。伝送特性Ｘ１５は、伝送距離が変動しても、その伝送容量が約１０２Ｇｂｐｓ程度と安定する。しかしながら、ＳＳＢ整形は、急峻なフィルタリングや高精度な制御を要し、しかも、その光ＤＭＴ信号の信号成分が半減するため、伝送特性が劣化してしまう。これに対して、伝送特性Ｘ４は、実施例１のＶＳＢ整形後の光ＤＭＴ信号の伝送特性である。伝送特性Ｘ４は、伝送距離が０ｋｍの場合、その伝送容量が１３０Ｇｂｐｓ、伝送距離が１０ｋｍの場合、伝送容量が１１０Ｇｂｐｓ、その後、伝送距離が変動した場合でも、その伝送容量が１０５Ｇｂｐｓと安定する。これに対して、伝送特性Ｘ５は、実施例３のＶＳＢ整形後の光ＤＭＴ信号の伝送特性である。伝送特性Ｘ５は、伝送距離が変動した場合でも、その伝送容量が１０５Ｇｂｐｓと安定する。つまり、伝送特性Ｘ４及びＸ５は、ＳＳＢ整形後の伝送特性Ｘ１５に比較して優れた伝送特性を確保できる。
【００９４】
尚、上記実施例１〜４では、取得部２６Ａ、第１の決定部１４Ｃ（２６Ｂ）や第２の決定部１４Ｄ（２６Ｃ）を送信装置２又は受信装置３の何れかに内蔵するようにしたが、受信装置３や送信装置２以外の管理装置に内蔵するようにしても良い。この場合、受信装置３及び送信装置２の処理負担を軽減できる。
【００９５】
上記実施例１〜４では、光ＤＭＴ信号の上側波帯の一部を除去するＶＳＢ整形を実行したが、下側波帯の一部を除去するＶＳＢ整形を実行しても良い。更に、上記実施例１〜４では、光ＤＭＴ信号の上側波帯の一部を除去するＶＳＢ整形を採用したが、ＶＳＢ整形に比較して、伝送特性が若干劣るものの、ＳＳＢ整形を採用しても良い。
【００９６】
送信装置２及び受信装置３では、光伝送路４と異なる制御線５で割当量等の情報を対向側の送信装置２及び受信装置３に伝送するようにしたが、割当量や伝送特性等の情報をＯＳＣ信号内に含めて対向側の送信装置２及び受信装置３に伝送しても良い。
【００９７】
また、上記実施例１〜４の光送信部１３は、アンプ、ＬＤ及び変調部で構成したが、ＬＤ及び変調部の代わりに、直接変調ＬＤを使用しても良い。
【００９８】
上記実施例１〜４の取得部２６Ａは、デマッピング部２４Ｃの後段の図示せぬＦＥＣ(Forward  Error  Correction)の前後の何れかでＳＮＲ情報を取得するようにしても良い。
【００９９】
また、上記実施例１〜４では、ＤＭＴ変調方式の光伝送システム１を例示したが、複数のＳＣにデータを割り当て、ＳＣ毎に割り当てられたデータを変調する他のマルチキャリア変調方式の光伝送システムにも適用可能である。例えば、ＯＦＤＭ（Orthogonal  Frequency  Division  Multiplexing）変調方式やＱＰＳＫ(Quadrature  Phase  Shift  Keying)変調方式を含む各種ＰＳＫ変調方式等のマルチキャリア変調方式の光伝送システムにも適用可能である。同様に、ＤＰＳＫ（Differential  Phase  Shift  Keying）や８ＰＳＫ等にも適用可能である。
【０１００】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１０１】
更に、各装置で行われる各種処理機能は、ＣＰＵ（Central  Processing  Unit）、ＤＳＰ（Digital  Signal  Processor）やＦＰＧＡ（Field  Programmable  Gate  Array）等上で、その全部又は任意の一部を実行するようにしても良い。また、各種処理機能は、ＣＰＵ等で解析実行するプログラム上、又はワイヤードロジックによるハードウェア上で、その全部又は任意の一部を実行するようにしても良い。
【０１０２】
各種情報を記憶する領域は、例えば、ＲＯＭ（Read  Only  Memory）や、ＳＤＲＡＭ（Synchronous  Dynamic  Random  Access  Memory）、ＭＲＡＭ（Magnetoresistive  Random  Access  Memory）やＮＶＲＡＭ（Non  Volatile Random Access  Memory）等のＲＡＭ（Random  Access  Memory）で構成しても良い。
【符号の説明】
【０１０３】
１  光伝送システム
２  送信装置
２Ａ  送信装置
２Ｂ  送信装置
２Ｃ  送信装置
３  受信装置
３Ａ  受信装置
３Ｂ  受信装置
３Ｃ  受信装置
４  光伝送路
１１  変調部
１４Ｃ  第１の決定部
１４Ｄ  第２の決定部
２１  光フィルタ
２１Ａ  光フィルタ
２５  フィルタ設定部
２５Ａ  フィルタ設定部
２６Ａ  取得部
２６Ｂ  第１の決定部
２６Ｃ  第２の決定部
３１  光フィルタ
３１Ａ  光フィルタ
３３  フィルタ制御部
３３Ａ  フィルタ制御部
【図１】
0006540090.tif 000003
【図２】
0006540090.tif 000004
【図３】
0006540090.tif 000005
【図４】
0006540090.tif 000006
【図５】
0006540090.tif 000007
【図６】
0006540090.tif 000008
【図７】
0006540090.tif 000009
【図８】
0006540090.tif 000010
【図９】
0006540090.tif 000011
【図１０】
0006540090.tif 000012
【図１１】
0006540090.tif 000013
【図１２】
0006540090.tif 000014
【図１３】
0006540090.tif 000015
【図１４】
0006540090.tif 000016
【図１５】
0006540090.tif 000017
【図１６】
0006540090.tif 000018
【図１７】
0006540090.tif 000019
【図１８】
0006540090.tif 000020
【図１９】
0006540090.tif 000021
【図２０】
0006540090.tif 000022
【図２１】
0006540090.tif 000023